(57)【特許請求の範囲】
【請求項１】
打撃面部分、ソール部分およびクラウン部分を有する本体であって、中空内部を画定する前記本体と、
前記クラウン部分から前記ソール部分へと延びる補強部材と、
を備えたゴルフクラブヘッドであって、
前記打撃面部分は、フェース中心、および前記中空内部に面する背面表面を有し、
前記クラウン部分は、少なくとも１つのクラウン開口部を有し、
前記少なくとも１つのクラウン開口部は、前記補強部材に対応し、
前記補強部材は、前記打撃面部分に対して垂直な前記フェース中心を通って延びる鉛直平面に沿って前記背面表面から１．２７０ｃｍ（０．５００インチ）未満に配置され、
前記補強部材は、上部、下部、および前記打撃面部分に対して平行に延びる中間部を備えた細長いカートリッジであり、
前記中間部は、少なくとも２つのピストン組立体を備え、
前記少なくとも２つのピストン組立体のそれぞれは、前記ゴルフクラブヘッドがゴルフボールに衝撃を与えるときに前記細長いカートリッジの圧縮を可能とするロッドおよびチューブを備え、前記ロッドは、前記チューブ内へと摺動可能である、前記ゴルフクラブヘッド。
【請求項２】
前記ロッドは、金属材料で構成され、前記チューブが、複合材およびチタン合金から成る群から選択された材料で構成されている、請求項１に記載のゴルフクラブヘッド。
【請求項３】
前記中間部の最中央構造は、前記打撃面部分に対して平行に延びる水平軸線に沿って前記フェース中心から０．６３５ｃｍ（０．２５インチ）以下離間させて配置されている、請求項２に記載のゴルフクラブヘッド。
【請求項４】
前記中間部の外側縁は、前記水平軸線に沿って前記フェース中心から２．５４ｃｍ（１インチ）以下離間させて配置されている、請求項３に記載のゴルフクラブヘッド。
【請求項５】
前記ソールは、ソール開口部を備え、前記ソール開口部は、前記細長いカートリッジの前記下部に対応し、前記少なくとも１つのクラウン開口部は、前記細長いカートリッジの前記上部に対応する、請求項１に記載のゴルフクラブヘッド。
【請求項６】
前記中間部は、中空の矩形構造であり、前記細長いカートリッジは、複合材およびチタン合金から成る群から選択される材料で構成されている、請求項１に記載のゴルフクラブヘッド。
【請求項７】
打撃面部分、底部分、および上部部分を有する本体であって、中空内部を画定する前記本体と、
第１の補強部材、第２の補強部材、および第３の補強部材であって、前記第１の補強部材、第２の補強部材、および第３の補強部材のそれぞれは、前記上部部分から前記底部分へと延び、前記打撃面部分に対して平行に延びている、前記第１の補強部材、第２の補強部材、および第３の補強部材と、
を備えたゴルフクラブヘッドであって、
前記打撃面部分は、フェース中心、および前記中空内部に面する背面表面を有し、
前記上部部分は、単一の上部開口部を有し、
前記上部開口部は、前記第１の補強部材、第２の補強部材、および第３の補強部材を受容し、
前記第１の補強部材は、前記打撃面部分に対して平行に延びる水平軸線に沿って前記フェース中心から０．６３５ｃｍ（０．２５インチ）以下離間させて配置されており、
前記第１の補強部材、第２の補強部材、および第３の補強部材のそれぞれは、ピストン組立体であり、
前記ピストン組立体は、ロッドおよびチューブを備え、前記ゴルフクラブヘッドがゴルフボールに衝撃を与えるときに、前記ロッドは、前記チューブ内へと摺動可能である、前記ゴルフクラブヘッド。
【請求項８】
前記第２の補強部材および前記第３の補強部材のそれぞれは、前記水平軸線に沿って前記フェース中心から２．５４ｃｍ（１インチ）以下離間させて配置されている、請求項７に記載のゴルフクラブヘッド。
【請求項９】
前記ロッドは、金属材料で構成されている、請求項７に記載のゴルフクラブヘッド。
【請求項１０】
前記第１の補強部材、第２の補強部材、および第３の補強部材のそれぞれは、前記打撃面部分に対して垂直な前記フェース中心を通って延びる鉛直平面に沿って前記背面表面から１．２７０ｃｍ（０．５００インチ）未満に配置されている、請求項７に記載のゴルフクラブヘッド。
【請求項１１】
前記第１の補強部材、第２の補強部材、および第３の補強部材のそれぞれは、２．５４ｃｍ（１インチ）から６．３５ｃｍ（２．５インチ）の範囲の長さを有する、請求項７に記載のゴルフクラブヘッド。
【請求項１２】
前記本体は、２００立方センチメートルから４７５立方センチメートルの範囲の体積を有する、請求項７に記載のゴルフクラブヘッド。
【発明の詳細な説明】
【技術分野】
【０００１】
2016年1月15日に出願された米国特許出願第14/997,199号、2015年6月30日に出願された米国特許出願第14/788,326号、及び2015年7月8日に出願された米国特許出願第14/794,578号のそれぞれの開示は、その全体が参照によって本明細書に組み込まれる。
本発明は、ゴルフクラブヘッドに関する。より詳細には、本発明は、クラウン部をソール部と連結し、打撃面部分近傍に配置された応力低減特徴部を備えたゴルフクラブヘッドに関する。
【背景技術】
【０００２】
先行技術は、内部構造を有する様々なゴルフクラブヘッドを開示する。たとえば、Yabuの「Golf Club Head And Method OF Making The Same」と題する米国特許第6,852,038号は、サウンドバーを備えたゴルフクラブヘッドを開示し、Gallowayの「Multiple Material Golf Club Head」と題された米国特許第7,118,493号は、金属フェース部品のソール部分から上方へと延びる内部サウンド部品を有するボディ後部に複合材を備えたゴルフクラブヘッドを開示し、Selugaらの「Golf Club Head With Center Of Gravity Adjustability」と題された米国特許第8,834,294号は、ゴルフクラブヘッドのＣＧを調整するための質量を有するチューブを備えたゴルフクラブヘッドを開示し、Dawsonらの「Weighted Golf Club Head」と題された米国特許第8,900,070号は、ソールからフェースへと延びる内部ウェイトリップを備えたゴルフクラブヘッドを開示する。
【先行技術文献】
【特許文献】
【０００３】
【特許文献１】米国特許第６,８５２,０３８号
【特許文献２】米国特許第７,１１８,４９３号
【特許文献３】米国特許第８,８３４,２９４号
【特許文献４】米国特許第８,９００,０７０号
【発明の概要】
【発明が解決しようとする課題】
【０００４】
しかしながら、これら従来の技術は、ゴルフクラブヘッドの質量における増加を最小限にしつつ、衝撃時の打撃面部分（striking face section）における応力の低減によって球速を高める内部構造を開示しない。
【課題を解決するための手段】
【０００５】
ゴルフクラブヘッドは、ゴルフボールとの衝撃時の打撃面部分における応力を低減させるための、クラウン部分をソール部分に連結する内部構造を備える。いくつかの実施形態において、前記内部構造は、チタン合金で構成された中空のチューブ（hollow tubes）または中実のロッド（solid rods）である。
【０００６】
本発明の一態様は、フェース（face）、クラウン（crown）、ソール（sole）、および中空内部（hollow interior）を有する本体を備えたゴルフクラブヘッドである。複数の補強部材（stiffening members）が、前記クラウンを前記ソールに連結し、前記フェースの中心に対して垂直な平面に沿って計測して、前記フェースの後部表面から１．２７０ｃｍ（０．５００インチ）以下の距離に配置される。前記複数の補強部材のそれぞれは、任意の断面形状を有する中空のチューブまたは中実のロッドであってもよい。中央の補強部材は、前記フェースの中心から０．６３５ｃｍ（０．２５０インチ）以内に配置され、各隣接する補強部材は、前記フェースの中心から２．５４ｃｍ（１インチ）以内に配置される。
【０００７】
本発明の別の態様は、打撃面部分（striking face section）、ソール部分（sole section）およびクラウン部分（crown section）を備え、中空内部を画定する本体と、前記クラウン部分から前記ソール部分へと延びる少なくとも１つの補強部材とを備えたゴルフクラブヘッドである。前記打撃面部分は、フェース中心、および前記中空内部に面する背面表面（rear face surface）を備え、前記クラウン部分は、少なくとも１つのクラウン開口部（crown aperture）を備える。前記少なくとも１つのクラウン開口部は、少なくとも１つの補強部材に対応し、前記少なくとも１つの補強部材は、前記打撃面部分に対して垂直な前記フェース中心を通じて延びる鉛直平面に沿って前記背面表面から１．２７０ｃｍ（０．５００インチ）未満に配置される。いくつかの実施形態において、前記少なくとも１つの補強部材は、少なくとも第１の補強部材、第２の補強部材および第３の補強部材を備えてもよく、これらの各々が、中実の円筒状ロッド（solid cylindrical rod）および中空のチューブから成る群から選択される構造を備えてもよい。さらなる実施形態において、前記中実の円筒状ロッドは、金属材料で構成されてもよく、前記中空のチューブは、複合材およびチタン合金から成る群から選択される材料で構成されてもよい。別のさらなる実施形態において、前記第１の補強部材は、前記打撃面部分に対して平行に延びる水平軸線に沿って前記フェース中心から０．６３５ｃｍ（０．２５０インチ）以下離間させて配置されてもよく、前記第２および第３の補強部材のそれぞれは、水平軸線に沿って前記フェースの中心から２．５４ｃｍ（１インチ）以下離間させて配置されてもよい。
【０００８】
他の実施形態において、少なくとも１つの補強部材は、前記打撃面部分に対して平行に延びる上部、下部および中間部を備えた細長いカートリッジ（elongated cartridge）であってもよい。これらの実施形態のいくつかにおいて、前記ソールは、ソール開口部（sole aperture）を備えてもよく、前記ソール開口部は、前記細長いカートリッジの前記下部に対応してもよく、前記クラウン開口部は、前記細長いカートリッジの前記上部に対応してもよい。これらの実施形態のうちの別の実施形態において、前記中間部は、中空の矩形構造であってもよく、前記細長いカートリッジは、複合材およびチタン合金から成る群から選択される材料で構成されてもよい。さらに別の実施形態において、前記中間部は、前記上部と前記下部の間で延びる少なくとも２つの鉛直なロッド（vertical rods）を備えてもよく、さらなる実施形態において、前記中間部は、前記少なくとも２つの鉛直なロッドの間で延びる少なくとも２つの傾斜したロッド（diagonal rods）を備えてもよい。さらに別の実施形態において、前記中間部は、少なくとも２つのピストン組立体（piston assembly）を備えてもよい。
【０００９】
本発明のさらに別の態様は、打撃面部分、底部分および上部部分を備え、中空内部を画定する本体と、それぞれが前記上部部分から前記底部分へと延びる複数の補強部材とを備えたゴルフクラブヘッドである。前記打撃面部分は、フェース中心、および前記中空内部に面する背面表面を備え、前記上部部分は、複数の開口部を備え、前記複数の開口部のそれぞれは、前記複数の補強部材のうちの１つの補強部材に対応し、前記複数の補強部材は、第１の補強部材、第２の補強部材、および第３の補強部材を備え、前記第１の補強部材は、前記打撃面部分に対して平行に延びる水平軸線に沿ってフェース中心から０．６３５ｃｍ（０．２５０インチ）以下離間させて配置される。いくつかの実施形態において、前記第２および第３の補強部材のそれぞれは、水平軸線に沿って前記フェースの中心から２．５４ｃｍ（１インチ）以下離間させて配置されてもよい。別の実施形態において、前記複数の補強部材のうちの少なくとも１つは、中実の円筒状ロッドおよび中空のチューブから成る群から選択されてもよい。さらなる実施形態において、前記複数の補強部材のそれぞれは、金属材料で構成された中実の円筒状ロッドであってもよく、前記複数の補強部材のそれぞれは、前記打撃面部分に対して垂直な前記フェース中心を通って延びる鉛直平面に沿って背面表面から１．２７０ｃｍ（０．５００インチ）未満に配置されてもよい。
【００１０】
いくつかの実施形態において、前記底部分は、前記中空内部へと延びる複数のボス（bosses）を備えてもよく、前記複数のボスのそれぞれは、前記複数の補強部材のうちの１つの補強部材に対応してもよい。他の実施形態において、前記複数の補強部材のそれぞれは、２．５４ｃｍ（１インチ）から６．３５ｃｍ（２．５インチ）の範囲の長さを有してもよく、前記本体は、２００立方センチメートルから４７５立方センチメートルの範囲の体積を有してもよい。
【００１１】
本発明について簡単に説明したが、本発明に係る上述の目的、特徴、および利点、ならびに、さらなる目的、特徴および利点は、添付の図面とともに考慮することによって、本発明に係る以下の詳細の説明から当業者により理解される。
【図面の簡単な説明】
【００１２】
【図１】本発明に係るゴルフクラブヘッドの第１の実施形態の上面図である。
【図２】図１に示されたゴルフクラブヘッドのソールの斜視図である。
【図３】内部を示すためにクラウン部分を取り除いた、図１に示されるゴルフクラブヘッドの上部斜視図である。
【図４】図３に示されたゴルフクラブヘッドの、線４−４に沿った断面図である。
【図５】図３に示されたゴルフクラブヘッドの、チューブを除く、線５−５に沿った断面図である。
【図６】図５に示された実施形態の別の図である。
【図７】本発明のゴルフクラブヘッドの第２の実施形態の、その打撃面部分を取り除いた、上部斜視図である。
【図８】本発明に係るゴルフクラブヘッドの第３の実施形態の、その打撃面部分を取り除いた、上部斜視図である。
【図９】本発明に係るゴルフクラブヘッドの第４の実施形態の、その打撃面部分を取り除いた、上部斜視図である。
【図１０】本発明に係るゴルフクラブヘッドの第５の実施形態の、そのフェース部を取り除いた、上部斜視図である。
【発明を実施するための形態】
【００１３】
図１〜図６に示されるように、本発明に係るゴルフクラブヘッド１０の好適な実施形態が概して示される。ゴルフクラブヘッド１０は、ソール部分２２と、打撃面部分３０と、打撃面部分３０の上部縁から外方に延びるリターン部分３２と、シャフトを係合するためのホーゼル２４と、ヒール端２３と、つま先端２５と、上部開放部２６と、中空内部２７と、後部端２８と、を有する本体２０を含む。クラウン部分４０は、リターン部分３２と中空内部２７を収容するように上部開放部２６にわたり配置されたクラウン挿入部４２とから構成される。中空内部２７内において、複数の補強部材５０（好適には２つから８つ）が、ソール部分２２から上方にリターン部分３２へと延びる。代替的な実施形態において、補強部材５０は、代わりにクラウン挿入部４２へと延びてもよく、重要なのは、補強部材５０がクラウン部分４０をソール部分２２に連結することである。
【００１４】
図３に示されるように、好適な実施形態は、３つの補強部材５０ａ、５０ｂ、５０ｃを有する。好適な実施形態において、補強部材５０ａ、５０ｂ、５０ｃのそれぞれは、チタン合金または鋼鉄のような軽量で高強度の金属材料で構成される中実の円筒状ロッドであり、さらに別の実施形態において、補強部材５０ａ、５０ｂ、５０ｃのそれぞれは、高強度の軽量金属または複合材料で作られた中空のチューブであってもよい。別の実施形態において、ゴルフクラブヘッド１０は、中実のロッドおよび中空のチューブの両形式の補強部材５０の１つまたは複数を含んでもよい。好適な実施形態において、補強部材５０のそれぞれは、好適には、０．１２７ｃｍ（０．０５０インチ）から０．５０８ｃｍ（０．２００インチ）の範囲の径と、２．５４ｃｍ（１インチ）から６．３５ｃｍ（２．５インチ）の範囲の長さと、を有してもよい。任意の補強部材５０が中空のチューブである場合、好適には０．５グラムから３グラムの範囲の、より好適には１グラムから２グラムの範囲の、最も好適には、１．５グラムの質量を有する。
【００１５】
リターン部分３２（または代替的な実施形態において、クラウン挿入部４２）は、好適には複数の上部開口部４４を備える。複数の上部開口部４４のそれぞれは、好適には補強部材５０の１つに対応する。ソール部分２２は、複数の下部開口部４６も備え、そのそれぞれは、ソール部分２２から中空内部２７へと上方に延びるボス４８へとつながる。複数のボス４８のそれぞれは、好適には補強部材５０に対応し、好適にはボス４８に対して溶接されるが、代替的な実施形態において、ボス４８内に接着されてもよい。複数の補強部材５０のそれぞれは、上部開口部４４または下部開口部４６を介して本体２０内へと挿入されてもよい。
【００１６】
図７〜図１０に示された代替的な実施形態において、ゴルフクラブヘッド１０は、リターン部分３２が単一の上部開口部８０を備え、ソール部分２２が上部開口部８０に直接対向して配置された単一の下部開口部８５を備えるということを除いて、好適な実施形態の要素のそれぞれを有する。開口部８０、８５は、補強中間部９５を有する細長いカートリッジ９０の上部９２および下部９４をそれぞれ受容するように寸法化され、その例示は、これらの図中に示される。細長いカートリッジ９０は、好適には取り外し可能であり、本体２０に対して可逆的に上部９２および下部９４を固定する係止特徴部（locking features）を有してもよいが、他の実施形態においては、溶接または接着によってゴルフクラブヘッド１０に対して恒久的に固定されてもよい。
【００１７】
図７に示された実施形態において、細長いカートリッジ９０の中間部９５は、３つのピストン組立体１００を含み、その各々は、ゴルフクラブヘッド１０がゴルフボールに衝撃を与えるときに細長いカートリッジ９０の圧縮を可能とするロッド１０２およびチューブ部１０４を備えている。ロッド１０２は、細長いカートリッジ９０が圧縮されたときに、チューブ１０４内へと摺動可能である。図８に示された実施形態において、細長いカートリッジ９０の中間部９５は、上部９２および下部９４の間で延びる一対の鉛直なロッド１１０、１１２と、鉛直なロッド１１０、１１２の間で延び、「Ｘ」形状を形成する一対の傾斜したロッド１１４、１１６とを含む。このＸ形の構造は、鉛直なロッド１１０、１１２のための付加的な支持を提供し、こうして打撃面部分３０を提供する。図９に示された実施形態において、細長いカートリッジ９０の中間部９５は、炭素複合材、鋼鉄、アルミニウム合金またはチタン合金のような軽量、高強度材料の１つまたは複数で構成された、中空の矩形ボックス１２０である。
【００１８】
中間部９５は、単一部品である必要はなく、２つまたはそれ以上の部分から形成され得る。例えば、図１０に示された実施形態において、細長いカートリッジ９０の中間部９５は、４つのおおよそ矩形の支柱（rectangular struts）１３０、１３２、１３４、１３６を備える。支柱１３０、１３２、１３４、１３６それぞれは、２つの部品から形成され、４つの上部支柱部１３０ａ、１３２ａ、１３４ａ、１３６ａは、細長いカートリッジ９０の上部９２から下方へ延び、４つの下部支柱部１３０ｂ、１３２ｂ、１３４ｂ、１３６ｂは、細長いカートリッジ９０の下部９４から上方に延びる。上部および下部支柱部１３０ａ、１３０ｂ、１３２ａ、１３２ｂ、１３４ａ、１３４ｂ、１３６ａ、１３６ｂそれぞれは、細長いカートリッジ９０が完全に組み立てられたときにこれらの部分が固定して互いに把持するように、接合構造１３８ａ、１３８ｂを備える。例えば、図１０において、上部接合構造１３８ａはスロット（slot）であり、下部接合構造１３８ｂは、前記スロットの上へ係止するように寸法化されたホック（hook）である。上部支柱部１３０ａ、１３２ａ、１３４ａ、１３６ａは、好適には上部９２と一体的に形成され、下部支柱部１３０ｂ、１３２ｂ、１３４ｂ、１３６ｂは、好適には下部９４と一体的に形成される。
【００１９】
細長いカートリッジ９０は、１つまたは複数の軽量、高強度材料から形成されてもよいが、好適には、上部９２および下部９４は、ゴルフクラブヘッド１０の本体２０の材料と同じ材料で形成され、それは鋼鉄またはチタン合金であってもよい。図７〜図１０に示されたいずれかの実施形態において、中間部９５を作る様々な特徴部は、炭素複合材、鋼鉄、チタン合金、プラスチック、または他のこのような材料で構成されてもよい。
【００２０】
図４に示されるように、本明細書に開示されたそれぞれの実施形態において、補強部材５０または細長いカートリッジ９０の補強中間部９５の特徴部（feature）のそれぞれは、打撃面部分３０に対して垂直なフェース中心３４を通って延びる鉛直平面６０に沿って計測される、打撃面部分３０の後部表面３６から１．２７０ｃｍ（０．５００インチ）未満に配置される。補強部材５０または中間部９５のいずれの部分もこの１．２７０ｃｍ（０．５００）インチの範囲の外側に配置されるべきではない。図５に示されるように、中間補強部材５０ｂまたは中間部９５の最中央構造は、好適には打撃面部分３０に対して平行に延びる水平Ｙ軸線７０に沿ってフェース中心３４のつま先の方またはヒールの方に０．６３５ｃｍ（０．２５０インチ）以内に配置される。他の２つの補強部材５０ａ、５０ｃまたは細長いカートリッジ９０の中間部９５の外側縁は、好適にはＹ軸線７０に沿ってフェース中心３４のつま先の方およびヒールの方に２．５４ｃｍ（１インチ）以内にそれぞれ配置される。
【００２１】
補強部材５０または細長いカートリッジ９０の中間部９５を、上記ならびに図４および図５で定義されたゴルフクラブヘッド１０の領域内に配置することは、ゴルフクラブヘッド１０に対する最も大きい応力低減効果を有する。補強部材５０のうちのいずれかが打撃面部分３０の後部表面３６から０．５００インチよりも離間され、または、０．２５０／１インチの範囲の外側に配置された場合、それらは、ゴルフクラブヘッド１０が使用されるときに打撃面部分３０へ付与される応力に対して注目すべき効果を有さず、顕著な性能上の利点をもたらすことなく任意の質量を使い尽くす。
【００２２】
本明細書において開示されたそれぞれの実施形態において、ゴルフクラブヘッド１０は、好適にはＵＳＧＡ（全米ゴルフ協会）によって設定された２５７マイクロ秒（μｓ）リミットに近いがそれを超えない、フェースの特性時間（Characteristic Time（ＣＴ））を有する。
【００２３】
本明細書に開示された任意の実施形態において、ゴルフクラブヘッド１０がドライバーとして設計されたとき、好適には２００立方センチメートルから６００立方センチメートルの、より好適には３００立方センチメートルから５００立方センチメートルの、最も好適には４２０立方センチメートルから４７０立方センチメートルの、最適には４６０立方センチメートルの体積を有する。好適な実施形態において、ゴルフクラブヘッド１０は、おおよそ４５０立方センチメートルから４６０立方センチメートルの体積を有する。
【００２４】
ゴルフクラブヘッド１０の体積は、ドライバーより小さな体積を有するフェアウェイウッドの（好適には３ウッドから１１ウッドの範囲の）間で変化もする。ドライバーとして設計されたときには、ゴルフクラブヘッド１０は、好適には２１５グラムよりも大きくない質量、最も好適には、１８０から２１５グラムの質量を有する。フェアウェイウッドとして設計されたときには、ゴルフクラブヘッド１０は、好適には１３５グラムから２００グラムの質量、さらに好適には１４０グラムから１６５グラムの質量を有する。
【００２５】
本明細書において開示されたそれぞれの実施形態において、打撃面部分３０は、好適には「Golf Club Head With Variable Face Thickness」と題する米国特許第7,448,960号に記載されたような変化する厚さを有し、その関連する部分は、参照により本明細書に組み込まれる。打撃面部分３０の厚さの他の代替的な実施形態は、「Golf Club Striking Plate With Variable Thickness」と題する米国特許第6,398,666号、「Contoured Golf Club Face」と題する米国特許第6,471,603号、「Golf Club Striking Plate Having Elliptical Regions Of Thickness」と題する米国特許第6,368,234号に開示され、それらの全ては、Callaway Golf Companyによって所有され、その関連する部分は、参照により本明細書に組み込まれる。あるいは、打撃面部分３０は、一様な厚さを有してもよい。
【００２６】
本明細書において開示された実施形態のそれぞれにおいて、本体２０は、好適にはよく知られたロストワックス鋳造法のような方法における溶融金属からの鋳造である。鋳造のための金属は、好適にはチタンまたは６４チタン合金（6-4 titanium alloy）のようなチタン合金、鍛造のためのアルファベータチタン合金またはベータチタン合金、および、鋳造のための６４チタンである。なお、本体２０は、１７−４鋼合金（17-4 steel alloy）で構成される。本体２０を製造するための付加的な方法は、金属の平板からの本体２０の形成、金属の平板からの本体の超可塑性形成、金属の中実ブロックからの本体２０の機械加工、鍛造された予備成形物からの本体２０の電解加工、遠心鋳造を用いた本体の鋳造、浮上鋳造（levitation casting）を用いた本体２０の鋳造および同様な製造方法を含む。
【００２７】
他の実施形態において、ゴルフクラブヘッド１０は、米国特許第6244976号、米国特許第6332847号、米国特許第6386990号、米国特許第6406378号、米国特許第6440008号、米国特許第6471604号、米国特許第6491592号、米国特許第6527650号、米国特許第6565452号、米国特許第6575845号、米国特許第6478692号、米国特許第6582323号、米国特許第6508978号、米国特許第6592466号、米国特許第6602149号、米国特許第6607452号、米国特許第6612398号、米国特許第6663504号、米国特許第6669578号、米国特許第6739982号、米国特許第6758763号、米国特許第6860824号、米国特許第6994637号、米国特許第7025692号、米国特許第7070517号、米国特許第7112148号、米国特許第7118493号、米国特許第7121957号、米国特許第7125344号、米国特許第7128661号、米国特許第7163470号、米国特許第7226366号、米国特許第7252600号、米国特許第7258631号、米国特許第7314418号、米国特許第7320646号、米国特許第7387577号、米国特許第7396296号、米国特許第7402112号、米国特許第7407448号、米国特許第7413520号、米国特許第7431667号、米国特許第7438647号、米国特許第7455598号、米国特許第7476161号、米国特許第7491134号、米国特許第7497787号、米国特許第7549935号、米国特許第7578751号、米国特許第7717807号、米国特許第7749096号および米国特許第7749097号のいずれかに記載されたような複合材料構成（multi-material composition）を有してもよく、そのそれぞれの開示は、本明細書においてその全体が組み込まれる。
【００２８】
上述の記載から、当業者は本発明の価値のある利点を把握し、本発明は添付の図面に示される、その好適な実施形態および他の実施形態と関連付けて記載されているが、本発明の精神および範囲から逸脱することなく、数多くの変形、変更および均等物の置換がそこに成され得るということを容易に理解するものと考えられ、本発明は、以下の添付の特許請求の範囲に示され得る事項を除き、前述の内容によって制限されないことを意図される。したがって、独占的所有権または特権が請求される本発明の実施形態は、以下の添付の特許請求の範囲において定義される。
【符号の説明】
【００２９】
１０  ゴルフクラブヘッド
２０  本体
２２  ソール部分
２３  ヒール端
２４  ホーゼル
２５  つま先端
２６  上部開放部
２７  中空内部
２８  後端部
３０  打撃面部分
３２  リターン部分
３４  フェース中心
３６  後部表面
４０  クラウン部分
４２  クラウン挿入部
４４  上部開口部
４６  下部開口部
４８  ボス
５０  補強部材
５０ａ、５０ｂ、５０ｃ  補強部材
６０  鉛直平面
７０  Ｙ軸線
８０  上部開口部
８５  下部開口部
９０  細長いカートリッジ
９２  上部
９４  下部
９５  補強中間部
１００  ピストン組立体
１０２  ロッド
１０４  チューブ部
１１０、１１２  鉛直なロッド
１１４、１１６  傾斜したロッド
１２０  中空の矩形ボックス
１３０、１３２、１３４、１３６  支柱
１３０ａ、１３２ａ、１３４ａ、１３６ａ  上部支柱部
１３０ｂ、１３２ｂ、１３４ｂ、１３６ｂ  下部支柱部
１３８ａ  上部接合構造
１３８ｂ  下部接合構造
【図１】
0006507125.tif 000002
【図２】
0006507125.tif 000003
【図３】
0006507125.tif 000004
【図４】
0006507125.tif 000005
【図５】
0006507125.tif 000006
【図６】
0006507125.tif 000007
【図７】
0006507125.tif 000008
【図８】
0006507125.tif 000009
【図９】
0006507125.tif 000010
【図１０】
0006507125.tif 000011